(57)【要約】【課題】本発明は、電力ピークシフト時間帯における消費電力を削減する。【解決手段】画像形成装置１は、外部電源部３１が外部電源電力ＳＰから生成する外部駆動電源電力と蓄電電源部３２の生成する蓄電駆動電源電力のいずれかを切替／充電部３３が駆動電源電力として選択して画像形成装置１の各部へ供給する。駆動電源制御部２２は、時刻管理制御部２３の計時する現在時刻が外部電源電力ＳＰの使用を抑制する電力ピークシフト時間帯であると、切替／充電部３３に、前記駆動電源電力として前記蓄電駆動電源電力を選択させるとともに、該電力ピークシフト時間帯において動作状態が終了すると、電力状態を、通常電力モードから該通常電力モードよりも消費電力の少ない省電力モードに速やかに切り替える。【選択図】          図１
2015134489.tif 000002
【特許請求の範囲】
【請求項１】
外部から供給される外部電源電力から装置内で利用する外部駆動電源電力を生成する外部電源手段と、
蓄電している蓄電電力から装置内で利用する蓄電駆動電源電力を生成する蓄電電源手段と、
前記外部駆動電源電力と前記蓄電駆動電源電力のいずれかを前記装置へ供給する駆動電源電力として選択する選択手段と、
通常動作可能な前記駆動電源電力を前記装置へ供給する通常電力状態と該通常電力状態よりも消費電力の少ない該駆動電源電力を該装置へ供給する省電力状態とに電力状態を切り替える電力状態切替手段と、
現在時刻を計時する計時手段と、
現在時刻が前記外部電源電力の使用を抑制する電力ピークシフト時間帯であるか否かを判定する判定手段と、
前記装置の状態を判定する状態判定手段と、
現在時刻が前記電力ピークシフト時間帯であると、前記選択手段に、前記駆動電源電力として前記蓄電駆動電源電力を選択させるとともに、該電力ピークシフト時間帯において、前記状態判定手段が、該動作状態の終了を判定すると、該電力状態切替手段に、前記電力状態を速やかに前記省電力状態に切り替えさせる制御手段と、
を備えていることを特徴とする電源制御装置。
【請求項２】
前記電源制御装置は、
前記蓄電電源手段の蓄電する蓄電残量を検出する蓄電残量検出手段を、さらに備え、
前記制御手段は、
前記蓄電残量が所定の閾値蓄電残量以下であることを条件として、前記電力状態切替手段に、前記電力状態を前記省電力状態に切り替えさせることを特徴とする請求項１記載の電源制御装置。
【請求項３】
前記電源制御装置は、
前記電力ピークシフト時間帯と現在時間に基づいて、該電力ピークシフト時間帯において前記蓄電駆動電源電力を前記駆動電源電力として動作する蓄電動作予想時間を累積した累積蓄電動作予想時間を算出する蓄電動作時間算出手段を、さらに備え、
前記制御手段は、
前記累積蓄電動作予想時間が所定の閾値蓄電動作時間以上であることを条件として、前記電力状態切替手段に、前記電力状態を前記省電力状態に切り替えさせることを特徴とする請求項１または請求項２記載の電源制御装置。
【請求項４】
前記電源制御装置は、
前記電力状態を前記省電力状態に優先的に切り替える省電力優先時間帯を記憶する時間記憶手段を、さらに備え、
前記制御手段は、
現在時間が前記省電力優先時間帯であることを条件として、前記電力状態切替手段に、前記電力状態を前記省電力状態に切り替えさせることを特徴とする請求項１から請求項３のいずれかに記載の電源制御装置。
【請求項５】
前記電源制御装置は、
前記閾値蓄電残量、前記閾値蓄電動作時間、前記省電力優先時間帯のうち、少なくともいずれかを設定する設定手段を備えていることを特徴とする請求項２から請求項４のいずれかに記載の電源制御装置。
【請求項６】
電源制御部から供給される駆動電源電力を利用して、画像データに対して各種画像処理を施す画像処理装置であって、
前記電源制御部として、請求項１から請求項５のいずれかに記載の電源制御装置を備えていることを特徴とする画像処理装置。
【請求項７】
外部から供給される外部電源電力から装置内で利用する外部駆動電源電力を生成する外部電源処理ステップと、
蓄電している蓄電電力から装置内で利用する蓄電駆動電源電力を生成する蓄電電源処理ステップと、
前記外部駆動電源電力と前記蓄電駆動電源電力のいずれかを前記装置へ供給する駆動電源電力として選択する選択処理ステップと、
通常動作可能な前記駆動電源電力を前記装置へ供給する通常電力状態と該通常電力状態よりも消費電力の少ない該駆動電源電力を該装置へ供給する省電力状態とに電力状態を切り替える電力状態切替処理ステップと、
現在時刻を計時する計時処理ステップと、
現在時刻が前記外部電源電力の使用を抑制する電力ピークシフト時間帯であるか否かを判定する判定処理ステップと、
前記装置の状態を判定する状態判定処理ステップと、
現在時刻が前記電力ピークシフト時間帯であると、前記選択処理ステップで、前記駆動電源電力として前記蓄電駆動電源電力を選択させるとともに、該電力ピークシフト時間帯において、前記状態判定処理ステップで、該動作状態の終了を判定されると、前記電力状態切替処理ステップで、前記電力状態を速やかに前記省電力状態に切り替えさせる制御処理ステップと、
を有していることを特徴とする電源制御方法。
【請求項８】
制御プロセッサに、
外部から供給される外部電源電力から装置内で利用する外部駆動電源電力を生成する外部電源処理と、
蓄電している蓄電電力から装置内で利用する蓄電駆動電源電力を生成する蓄電電源処理と、
前記外部駆動電源電力と前記蓄電駆動電源電力のいずれかを前記装置へ供給する駆動電源電力として選択する選択処理と、
通常動作可能な前記駆動電源電力を前記装置へ供給する通常電力状態と該通常電力状態よりも消費電力の少ない該駆動電源電力を該装置へ供給する省電力状態とに電力状態を切り替える電力状態切替処理と、
現在時刻を計時する計時処理と、
現在時刻が前記外部電源電力の使用を抑制する電力ピークシフト時間帯であるか否かを判定する判定処理と、
前記装置の状態を判定する状態判定処理と、
現在時刻が前記電力ピークシフト時間帯であると、前記選択処理で、前記駆動電源電力として前記蓄電駆動電源電力を選択させるとともに、該電力ピークシフト時間帯において、前記状態判定処理で、該動作状態の終了を判定されると、前記電力状態切替処理で、前記電力状態を速やかに前記省電力状態に切り替えさせる制御処理と、
を実行させることを特徴とする電源制御プログラム。
【発明の詳細な説明】
【技術分野】
【０００１】
本発明は、電源制御装置、画像処理装置、電源制御方法及び電源制御プログラムに関し、詳細には、電力ピークシフト時間帯における消費電力を削減する電源制御装置、画像処理装置、電源制御方法及び電源制御プログラムに関する。
【背景技術】
【０００２】
近年、真夏の午後等のように、電力需要が急増する時間帯で消費するピーク電力をシフトさせて、該時間帯に消費する電力量を削減する電力ピークシフトが行われるようになってきている。
【０００３】
電力ピークシフトは、一般的に、電力需要が多い時間帯において、画像処理装置の駆動電源電力の供給源を、商用外部電源電力から生成した外部駆動電源電力から、充電済みの蓄電池の蓄電電源電力から生成した蓄電駆動電源電力に切り替えることで、商用外部電源電力の電力需要の時間を分散させている。
【０００４】
例えば、従来、 無停電電源装置に接続され、消費電力の段階に応じて複数の待機モードを持つファクシミリ装置において、前記無停電電源装置が接続されている商用電源が停止し無停電電源装置のバッテリーから電力供給される場合に、消費電力のより少ない待機モードに切り替える切り換え手段を具備したファクシミリ装置が提案されている（特許文献１参照）。
【０００５】
すなわち、この従来技術は、無停電電源装置の蓄電駆動電源電力が駆動電力であるときには、複数の待機モードのうち消費電力のより少ない待機モード（省電力モード）に切り替えている。
【発明の概要】
【発明が解決しようとする課題】
【０００６】
しかしながら、上記公報記載の従来技術にあっては、蓄電駆動電源電力が駆動電力であるときには、複数の待機モードのうち消費電力のより少ない待機モード（省電力モード）に切り替えているのみである。すなわち、通常、待機状態において、予め設定されている待ち時間が経過すると、省電力モードへ移行するが、消費電力のより少ない省電力モードへ移行している。したがって、この従来技術を、電力ピークシフトに利用すると、電力ピークシフト時間帯において、待機状態となってから待ち時間が経過した後に、省電力モードへ移行することになり、待ち時間の間、通常の動作可能な通常電力モードが継続されて、蓄電駆動電源電力が消費される。その結果、電力ピークシフト時間帯における蓄電池（バッテリ）の平均残容量が少なくなり、ピークシフト期間に停電等によって商用外部電源電力が消失すると、その後の蓄電駆動電源電力を利用した駆動可能時間が短くなる。その結果、画像処理装置の利用性が悪化するおそれがあった。
【０００７】
そこで、本発明は、電力ピークシフト時間帯における蓄電駆動電源電力の消費を効率的に削減することを目的としている。
【課題を解決するための手段】
【０００８】
上記目的を達成するために、請求項１記載の電源制御装置は、外部から供給される外部電源電力から装置内で利用する外部駆動電源電力を生成する外部電源手段と、蓄電している蓄電電力から装置内で利用する蓄電駆動電源電力を生成する蓄電電源手段と、前記外部駆動電源電力と前記蓄電駆動電源電力のいずれかを前記装置へ供給する駆動電源電力として選択する選択手段と、通常動作可能な前記駆動電源電力を前記装置へ供給する通常電力状態と該通常電力状態よりも消費電力の少ない該駆動電源電力を該装置へ供給する省電力状態とに電力状態を切り替える電力状態切替手段と、現在時刻を計時する計時手段と、現在時刻が前記外部電源電力の使用を抑制する電力ピークシフト時間帯であるか否かを判定する判定手段と、前記装置の状態を判定する状態判定手段と、現在時刻が前記電力ピークシフト時間帯であると、前記電力状態切替手段に、前記駆動電源電力として前記蓄電駆動電源電力を選択させるとともに、該電力ピークシフト時間帯において、前記状態判定手段が、該動作状態の終了を判定すると、前記電力状態切替手段に、前記電力状態を速やかに前記省電力状態に切り替えさせる制御手段と、を備えていることを特徴としている。
【発明の効果】
【０００９】
本発明によれば、電力ピークシフト時間帯における蓄電駆動電源電力の消費を効率的に削減することができる。
【図面の簡単な説明】
【００１０】
【図１】本発明の一実施例を適用した画像形成装置のブロック図。
【図２】電力ピークシフトの説明図。
【図３】省電力制御処理を示すフローチャート。
【図４】蓄電残量に基づく省電力制御処理を示すフローチャート。
【図５】蓄電駆動時間に基づく省電力制御処理を示すフローチャート。
【図６】省電力優先時間帯に基づく省電力制御処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図６は、本発明の電源制御装置、画像処理装置、電源制御方法及び電源制御プログラムの第１実施例を示す図であり、図１は、本発明の電源制御装置、画像処理装置、電源制御方法及び電源制御プログラムの第１実施例を適用した画像形成装置１の要部ブロック図である。
【００１３】
図１において、画像形成装置（画像処理装置）１は、画像制御部１０、画像印刷部２０及び電源供給部３０等を備えており、図示しない操作表示部等を備えている。画像形成装置１は、専用回線、有線または無線のＬＡＮ（Local Area Network）等の通信回線によってコンピュータ等のホスト装置ＨＳに接続されている。
【００１４】
ホスト装置ＨＳは、例えば、通常のハードウェア及びソフトウェア構成のコンピュータ等であり、印刷対象の印刷データを、設定された印刷設定情報とともに印刷ジョブとして、通信回線を通して、画像形成装置１へ送信する。
【００１５】
本実施例の画像形成装置１は、ホスト装置ＨＳから送られてくる画像データに基づいて、画像を用紙に印刷出力する画像印刷処理、ホスト装置ＨＳから送られてきた画像データを必要な処理を施した後に保管するメモリ保管処理、メモリ内の画像データを指定の宛先に転送するデータ転送処理等の画像処理を実行する。
【００１６】
画像制御部１０は、データ入出力部１１、画像描画部１２、メモリ制御部１３、データ出力部１４等を備えており、ホスト装置ＨＳとの間で画像データの授受を行ったり、画像出力や格納に必要な画像処理を施す。
【００１７】
画像印刷部２０は、プロッタ部２１、駆動電源制御部２２及び時刻管理部２３等を備えており、電源電力の制御を行いつつプロッタ部２１で画像を用紙に印刷出力する。
【００１８】
電源供給部３０は、外部電源部３１、蓄電電源部３２及び切替／充電部３３等を備えており、外部駆動電源電力と蓄電駆動電源電力を切り替えて駆動電源電力として画像形成装置１の各部、特に、駆動電源制御部２２へ供給する。
【００１９】
操作表示部は、各種操作キー及び液晶ディスプレイ等のディスプレイを備えており、操作キーは、画像形成装置１の動作を指示操作するのに使用される。ディスプレイは、操作キーの入力内容や画像形成装置１からユーザに通知する各種情報を表示する。
【００２０】
上記駆動電源制御部２２、時刻管理部２３、外部電源部３１、蓄電電源部３２及び切替／充電部３３は、全体として、後述する電力ピークシフト時間帯における蓄電駆動電源電力の消費を効率的に削減する電源制御方法を実行する電源制御部（電源制御装置）４０として機能している。
【００２１】
画像描画部１２は、ＣＰＵ（Central Processing Unit）、ＲＯＭ（Read Only Memory）、ＲＡＭ（Random Access Memory）及びＡＳＩＣ（Application Specific Integrated Circuit）等を備えている。画像描画部１２は、ＲＯＭ内に、画像形成装置１としての基本プログラム等の各種プログラム及び必要なシステムデータを格納している。画像描画部１２は、ＣＰＵが、ＲＯＭ内のプログラムに基づいてＲＡＭをワークメモリとして利用して、画像形成装置１の各部を制御して、画像形成装置１としての基本処理を実行する。画像描画部１２のＡＳＩＣは、ＣＰＵの制御下で、周辺モジュールとの間でデータの授受を行ったり、画像データに各種処理を施す。
【００２２】
データ入出力部１１は、上記通信回線を介してホスト装置ＨＳに接続されており、画像描画部１２の制御下で、ホスト装置ＨＳと通信して、ホスト装置ＨＳとの間で、画像データ等のデータの授受及び制御信号の授受を行う。
【００２３】
メモリ制御部１３は、大容量メモリ、例えば、ハードディスク、ＮＶＲＡＭ（Non Volatile ＲＡＭ）等を備え、該大容量メモリへの画像データ等のデータの書き込み及び読み出しを行う。例えば、画像描画部１２は、データ入出力部１１がホスト装置ＨＳから受け取った画像データを解析し、メモリ制御部１３の大容量メモリへ描画した描画データを展開する。また、画像描画部１２は、メモリ制御部１３の大容量に展開した画像データを、読み出して、データ出力部１４を介して、画像印刷部２０のプロッタ部２１に出力し、また、データ入出力部１１から指定の宛先、例えば、ホスト装置ＨＳへ画像データを送信する。
【００２４】
データ出力部１４は、画像描画部１２の制御下で、画像印刷部２０のプロッタ部２１との間で、画像データと信号の授受を行う。
【００２５】
プロッタ部２１は、駆動電源制御部２２から供給される駆動電源電力を利用して、所定の画像形成方式で被記録媒体である用紙に画像を形成する。プロッタ部２１は、例えば、電子写真方式、インク吐出方式等の画像形成方式で、画像制御部１０から送られてくる画像データ及び制御信号に基づいて、用紙に画像を形成する。
【００２６】
駆動電源制御部（電力状態切替手段、状態判定手段、判定手段、制御手段）２２は、電源供給部３０から供給される駆動電源電力のプロッタ部２１及び画像制御部１０の必要な各部への供給／供給遮断または供給電力量を制御する電源供給制御を行う。
【００２７】
すなわち、駆動電源制御部２２は、例えば、ＣＰＵ、ＲＯＭ、ＲＡＭ及び内部メモリ等を備えている。駆動電源制御部２２は、ＲＯＭ内に、本発明の電源制御プログラム等の各種プログラム及び必要なシステムデータを格納している。また、駆動電源制御部２２は、内部メモリとして、ＮＶＲＡＭ（Non Volatile ＲＡＭ）等の不揮発性メモリを備えており、内部メモリには、本発明の電源制御方法の実施に用いる各種時間の初期値及び後に設定された設定値を記憶している。駆動電源制御部２２の内部メモリには、電力ピークシフト時間帯、通常待機時間、閾値蓄電残量、閾値蓄電動作時間及び省電力優先時間帯等の初期値が予め格納されている。駆動電源制御部２２は、これらの電力ピークシフト時間帯、通常待機時間、閾値蓄電残量、閾値蓄電動作時間及び省電力優先時間帯等については、図示しない操作表示部のキー操作またはホスト装置ＨＳでの設定操作による適宜の設定を受け付け、内部メモリ内のデータを、初期値を保持しつつ、設定内容に基づいて変更する。この電力ピークシフト時間帯は、上述のように、電力需要が多い時間帯において、画像処理装置１の駆動電源電力の供給源を、商用外部電源電力ＳＰから生成された外部駆動電源電力から、充電済みの蓄電電源部３２の蓄電電源電力から生成された蓄電駆動電源電力に切り替えることで、商用外部電源電力ＳＰの電力需要の時間を分散させる時間帯である。通常待機時間は、画像形成装置１が通常電力モード（通常電力状態）での動作待ちである待機状態が継続すると、駆動電源電力を、該通常電力モードから該通常電力モードよりも消費電力の少ない省電力モード（省電力状態）へ移行するまでの待ち時間である。閾値蓄電残量は、駆動電源電力が蓄電電源部３２からの蓄電駆動電源電力であるときに、通常電力モードから省電力モードへ切り替えるタイミングを即時切替タイミングとする蓄電電源部３２の蓄電残量の閾値を示している。閾値蓄電動作時間は、電力ピークシフト時間帯において、通常電力モードから省電力モードへ切り替えるタイミングを即時切替タイミングとする蓄電動作の閾値時間であり、蓄電駆動電源電力を駆動電源電力とする電力ピークシフト時間帯における予測蓄電動作を累積した蓄電動作予測累積時間における閾値時間である。省電力優先時間帯は、通常電力モードから省電力モードへ切り替えるタイミングを即時切替タイミングとする時間帯である。
【００２８】
駆動電源制御部２２は、ＣＰＵが、ＲＯＭ内のプログラムに基づいてＲＡＭをワークメモリとして利用して、電源供給部３０からの駆動電源電力の画像形成装置１の各部への供給制御を行うとともに、本発明の電力ピークシフト時間帯における蓄電駆動電源電力の消費を効率的に削減する電源制御処理を実行する。
【００２９】
すなわち、画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の電源制御方法を実行する電源制御プログラムを読み込んで駆動電源制御部２２内のＲＯＭ等に導入することで、後述する電力ピークシフト時間帯における蓄電駆動電源電力の消費を効率的に削減する電源制御方法を実行する電源制御部４０を搭載する画像処理装置である画像形成装置として構築されている。この電源制御プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３０】
駆動電源制御部２２は、時刻管理部２３に接続されている。時刻管理部２３は、現在時刻を計時する時計部（計時手段）及びタイマを備えている。
【００３１】
駆動電源制御部２２は、時刻管理部２３の管理する時刻及び上記内部メモリに格納されている各種閾値に基づいて、電源供給部３０からの駆動電源電力の画像形成装置１の各部、特に、プロッタ部２１への供給／供給遮断及び供給量の制御を行う。すなわち、駆動電源制御部２２は、プロッタ部２１等が通常動作可能な通常駆動電源電力を供給する通常電力モード（通常電力状態）、通常電力モードよりも消費電力の少ない省電力モード（省電力状態）に切り替えて、画像形成装置１の各部に駆動電源電力の供給量を制御する電力モード切替処理（電力状態切替処理）を行う。また、駆動電源制御部２２は、電力切替信号を切替／充電部３３へ出力して、時刻管理部２３が管理する現在時間が、上記電力ピークシフト時間帯になると、切替／充電部３３を制御して、蓄電駆動電源電力を駆動電源電力として供給させる省電力制御処理を行う。
【００３２】
さらに、駆動電源制御部２２は、画像形成装置１が動作状態であるか、待機状態であるか、等の状態を判定する状態判定処理を行う。
【００３３】
そして、駆動電源制御部２２は、電力ピークシフト時間帯において、画像形成装置１の動作状態が終了すると、電力状態を、速やかに通常電力モードから省電力モードへ切り替える制御処理を行う。
【００３４】
外部電源部（外部電源手段）３１は、整流回路、電圧調整回路等を備えており、ＡＣ商用外部電源電力ＳＰが、図示しない電源ケーブルを介して供給される。外部電源部３１は、外部から供給される外部電源電力ＳＰから画像形成装置１内で利用する外部電源電力を生成して、切替／充電部３３へ出力する外部電源処理を行う。
【００３５】
蓄電電源部（蓄電電源手段）３２は、図示しないが、所定容量の蓄電池、電圧調整部等を備えており、蓄電池は、例えば、リチウムイオン電池等が用いられていて、ＤＣ（直流）の蓄電電力を供給する能力を有している。蓄電電源部３２は、蓄電池の蓄電電力から画像形成装置１内で利用する蓄電駆動電源電力を生成して、切替／充電部３３へ供給する。
【００３６】
切替／充電部（選択手段）３３は、外部電源部３１から外部駆動電源電力が供給されていて、駆動電源制御部２２からの電力切替信号が、蓄電駆動電源電力を駆動電源電力とする蓄電切替信号でないときには、該外部駆動電源電力を駆動電源電力として駆動電源制御部２２等に供給する。また、切替／充電部３３は、外部電源部３１から外部駆動電源電力が供給されていて、駆動電源制御部２２からの電力切替信号が、蓄電駆動電源電力を駆動電源電力とする蓄電切替信号であるときには、蓄電駆動電源電力を駆動電源電力として駆動電源制御部２２等に供給する蓄電電源処理を行う。さらに、切替／充電部３３は、外部電源部３１から外部駆動電源電力が供給されていないときには、蓄電駆動電源電力を駆動電源電力として駆動電源制御部２２等に供給する。また、切替／充電部３３は、その充電部が、外部電源部３１から外部駆動電源電力が供給されていると、蓄電電源部３２の蓄電池を充電する。
【００３７】
なお、電源供給部３０は、蓄電電源部３２の蓄電池の蓄電残量を検出する蓄電量検出部（図示略）を備えていてもよい。この蓄電量検出部（残量検出手段）は、例えば、切替／充電部３３による充電量と、切替／充電部３３を介して放電する放電量とを検出して、その差から蓄電電源部３２の蓄電池の蓄電残量を検出し、検出した蓄電残量を駆動電源制御部２２へ出力する。
【００３８】
次に、本実施例の作用を説明する。本実施例の画像形成装置１は、電力ピークシフト時間帯における蓄電駆動電源電力の消費を効率的に削減する。
【００３９】
すなわち、画像形成装置１は、操作表示部での操作またはホスト装置ＨＳでの操作によって、電力ピークシフト時間帯を設定することができ、設定された電力ピークシフト時間帯を、駆動電源制御部２２のＣＰＵがＮＶＲＡＭ等の内部メモリに格納する。
【００４０】
そして、画像形成装置１は、通常電力モードの他に、通常電力モードよりも消費電力の少ない省電力モードを備えている。駆動電源制御部２２は、動作待ちの待ち状態が予め設定されて駆動電源制御部２２の内部メモリに登録されている待ち時間を、時間管理部２３が連続して計時すると、通常電力モードから省電力モードに切り替える。
【００４１】
また、切替／充電部３３は、外部電源部３１から外部駆動電源電力が供給されているときには、該外部駆動電源電力を駆動電源電力として、駆動電源制御部２２等に供給する。切替／充電部３３は、外部駆動電源電力が供給されないときには、蓄電電源部３２が生成する蓄電駆動電源電力を駆動電源電力として駆動電源制御部２２等に供給する。
【００４２】
そして、駆動電源制御部２２は、時刻管理部２３が計時している現在時刻が電力ピークシフト時間帯であると、駆動電源電力として蓄電駆動電源電力を選択させる電力切替信号を切替／充電部３３に出力する。切替／充電部３３は、この電力切替信号が入力されると、駆動電源電力として、蓄電駆動電源電力を選択して、駆動電源制御部２２等に供給する。
【００４３】
切替／充電部３３は、図２に示すように、外部駆動電源電力が供給されていると、該外部駆動電源電力を駆動電源電力とし、電力ピークシフト時間帯となって蓄電駆動電源電力の選択を示す電力切替信号が入力されている間、蓄電駆動電源電力を駆動電源電力とする。そして、切替／充電部３３は、蓄電駆動電源電力の選択を示す電力切替信号の入力がなく、外部駆動電源電力が供給されていると、駆動電源電力を、外部駆動電源電力に切り替える。例えば、図２に示すように、駆動電源制御部２２は、電力ピークシフト時間帯として、１０時３０分から１５時００分が登録されていると、１０時３０分に蓄電駆動電源電力による駆動に切り替え、１５時００分に外部駆動電源電力の駆動に切り替えることで、電力消費の多い日中の画像形成装置１による電力使用量を減らす。したがって、電力ピークシフトを行うことで、環境と電力料金の両面において、メリットを向上させることができる。
【００４４】
ところが、この電力ピークシフト時間帯において、駆動電源電力として蓄電駆動電源電力を供給している状態で、通常電力モードから省電力モードへの切り替えを、電力ピークシフト時間帯以外の時間帯と同様に待ち時間の経過を待って行うと、待ち時間の分だけ多くの電力が消費されるという問題がある。
【００４５】
そこで、本実施例の画像形成装置１は、図３に示すように、電力ピークシフト時間帯では、動作処理が終了すると、速やかに省電力モードへ移行する。すなわち、図３に示すように、画像制御部１０は、画像形成装置１の動作要求があると（ステップＳ１０１）、要求された動作要求を処理する。電源制御部２２は、画像形成装置１の状態管理を行って、要求された動作の終了を把握する（ステップＳ１０２）。
【００４６】
駆動電源制御部２２は、要求された動作処理が終了すると、時刻管理部２３の計時する現在時刻が、駆動電源制御部２２の内部メモリに格納されている電力ピークシフト時間帯であるかチェックする（ステップＳ１０３）。
【００４７】
ステップＳ１０３で、現在時刻が電力ピークシフト時間帯であると（ステップＳ１０３で、ＹＥＳのとき）、駆動電源制御部２２は、電力モード（駆動電源電力のモード）を、速やかに省電力モードへ移行させて、省電力制御処理を終了する（ステップＳ１０４）。
【００４８】
ステップＳ１０３で、現在時刻が電力ピークシフト時間帯でないとき（ステップＳ１０３で、ＮＯのとき）、駆動電源制御部２２は、時間管理部２３のタイマの計時する要求動作終了からの待機時間が、駆動電源制御部２２の内部メモリに格納されている待ち時間に到達したかチェックする（ステップＳ１０５）。
【００４９】
ステップＳ１０５で、待機時間が待ち時間に到達していないとき（ステップＳ１０５で、ＮＯのとき）、駆動電源制御部２２は、電力ピークシフト時間帯であるかのチェックから上記同様に処理する（ステップＳ１０３〜S１０５）。
【００５０】
ステップＳ１０５で、待機時間が待ち時間に到達すると、駆動電源制御部２２は、通常電力モードの待機状態から省電力モードへ移行させて、省電力制御処理を終了する（ステップＳ１０４）。
【００５１】
このようにすると、電力ピークシフト時間帯のときに、動作処理が終了すると、待ち時間が経過するのを待つことなく、速やかに省電力モードへ移行することができる。その結果、電力ピークシフト時間帯における蓄電駆動電源電力の消費を効率的に削減することができ、停電等の非常時においても、画像形成装置１をより長い時間継続して使用することができる。
【００５２】
また、上記説明では、動作処理が終了したときに、電力ピークシフト時間帯であると、速やかに省電力モードに移行しているが、例えば、図４に示すように、蓄電電源部３２の蓄電池の蓄電残量に基づいて省電力制御を行ってもよい。なお、図４において、図３と同様の処理ステップには、同一のステップナンバーを付与して、その説明を簡略化する。
【００５３】
この場合、電源供給部３０は、上述のように、蓄電量検出部を備えており、蓄電量検出部（残量検出手段）は、蓄電電源部３２の蓄電池の蓄電残量を検出する。
【００５４】
そして、画像制御部１０は、図４に示すように、画像形成装置１の動作要求があると（ステップＳ１０１）、要求された動作要求を処理する。電源制御部２２は、画像形成装置１の状態管理を行って、要求された動作の終了を把握する（ステップＳ１０２）。
【００５５】
駆動電源制御部２２は、要求された動作処理が終了すると、時刻管理部２３の計時する現在時刻が、電力ピークシフト時間帯であるかチェックする（ステップＳ１０３）。
【００５６】
ステップＳ１０３で、現在時刻が電力ピークシフト時間帯であると（ステップＳ１０３で、ＹＥＳのとき）、駆動電源制御部２２は、蓄電検出部の検出する蓄電電源部３２の蓄電残量が、上記閾値蓄電残量以下であるかチェックする（ステップＳ２０１）。
【００５７】
ステップＳ２０１で、蓄電残量が閾値蓄電残量を超えていると（ステップＳ２０１で、ＮＯのとき）、駆動電源制御部２２は、通常電力モードでの待機状態へ移行して、待ち時間が経過したかチェックする（ステップＳ１０５）。
【００５８】
ステップＳ１０５で、待機時間が待ち時間に到達していないときには、駆動電源制御部２２は、電力ピークシフト時間帯であるかのチェックから上記同様に処理する（ステップＳ１０３、Ｓ２０１、S１０５）。
【００５９】
ステップＳ２０１で、蓄電残量が閾値蓄電残量以下であると（ステップＳ２０１で、ＹＥＳのとき）、駆動電源制御部２２は、電力モードを、速やかに省電力モードへ移行させて、省電力制御処理を終了する（ステップＳ１０４）。
【００６０】
ステップＳ１０３で、電力ピークシフト時間帯でないとき、駆動電源制御部２２は、待機時間が、待ち時間に到達したかチェックする（ステップＳ１０５）。
【００６１】
ステップＳ１０５で、待機時間が待ち時間に到達していないとき、駆動電源制御部２２は、電力ピークシフト時間帯であるかのチェックから上記同様に処理する（ステップＳ１０３〜S１０５、Ｓ２０１）。
【００６２】
ステップＳ１０５で、待機時間が待ち時間に到達すると、駆動電源制御部２２は、通常電力モードの待機状態から省電力モードへ移行させて、省電力制御処理を終了する（ステップＳ１０４）。
【００６３】
このようにすると、電力ピークシフト時間帯に、蓄電電源部３２の蓄電池の蓄電残量が閾値残量以下になったときに、動作処理が終了すると、速やかに省電力モードへ移行することができる。その結果、電力ピークシフト時間帯における蓄電駆動電源電力の消費をより一層効率的に削減することができ、停電等の非常時においても、画像形成装置１をより長い時間継続して使用することができる。
【００６４】
さらに、本実施例の画像形成装置１は、図５に示すように、上記蓄電駆動時間に基づいて、省電力制御を行ってもよい。なお、図５において、図３と同様の処理ステップには、同一のステップナンバーを付与して、その説明を簡略化する。
【００６５】
すなわち、上述のように、駆動電源制御部２２は、内部メモリに、閾値蓄電動作時間を格納しており、閾値蓄電動作時間は、上述のように、電力ピークシフト時間帯において、通常電力モードから省電力モードへ切り替えるタイミングを即時切替タイミングとする蓄電動作の閾値時間であり、蓄電駆動電源電力を駆動電源電力とする電力ピークシフト時間帯における予測蓄電動作を累積した蓄電動作予測累積時間における閾値時間である。具体的には、駆動電源制御部２２は、電力ピークシフト時間帯に入ってから現在時刻までに蓄電駆動電源電力を駆動電力として動作した蓄電動作の累積時間（蓄電動作累積時間）と、該電力ピークシフト時間帯の残り時間で蓄電動作累積時間を予測して、該電力ピークシフト時間帯での全蓄電動作時間を累積した蓄電動作予測累積時間を予測する。この蓄電動作予測累積時間に対して、通常電力モードから省電力モードへの切り替えに、待ち時間を設けることを許容する時間が、閾値蓄電動作時間である。
【００６６】
そして、駆動電源制御部２２は、時刻管理部２３の管理する現在時間が電力ピークシフト時間帯に入ると、所定タイミング毎に、蓄電動作予測累積時間を算出し、該蓄電動作予測累積時間を閾値蓄電動作時間と比較して、通常電力モードから省電力モードへ切り替えを判定する。
【００６７】
すなわち、画像制御部１０は、図５に示すように、画像形成装置１の動作要求があると（ステップＳ１０１）、要求された動作要求を処理する。電源制御部２２は、画像形成装置１の状態管理を行って、要求された動作の終了を把握する（ステップＳ１０２）。
【００６８】
駆動電源制御部２２は、要求された動作処理が終了すると、時刻管理部２３の計時する現在時刻が、電力ピークシフト時間帯であるかチェックする（ステップＳ１０３）。
【００６９】
ステップＳ１０３で、現在時刻が電力ピークシフト時間帯であると、駆動電源制御部２２は、その電力ピークシフト時間帯における蓄電動作予測累積時間を算出し、該蓄電動作予測累積時間が、上記閾値蓄電動作時間以上であるかチェックする（ステップＳ３０１）。
【００７０】
ステップＳ３０１で、蓄電動作予測累積時間が閾値蓄電動作時間未満であると（ステップＳ３０１で、ＮＯのとき）、駆動電源制御部２２は、通常電力モードでの待機状態へ移行して、待ち時間が経過したかチェックする（ステップＳ１０５）。
【００７１】
ステップＳ１０５で、待機時間が待ち時間に到達していないときには、駆動電源制御部２２は、電力ピークシフト時間帯であるかのチェックから上記同様に処理する（ステップＳ１０３、Ｓ３０１、S１０５）。
【００７２】
ステップＳ３０１で、蓄電動作予測累積時間が閾値蓄電動作時間以上になると（ステップＳ３０１で、ＹＥＳのとき）、駆動電源制御部２２は、電力モードを、速やかに省電力モードへ移行させて、省電力制御処理を終了する（ステップＳ１０４）。
【００７３】
ステップＳ１０３で、現在時刻が電力ピークシフト時間帯でないとき、駆動電源制御部２２は、待機時間が、待ち時間に到達したかチェックする（ステップＳ１０５）。
【００７４】
ステップＳ１０５で、待機時間が待ち時間に到達していないとき、駆動電源制御部２２は、電力ピークシフト時間帯であるかのチェックから上記同様に処理する（ステップＳ１０３〜S１０５、Ｓ３０１）。
【００７５】
ステップＳ１０５で、待機時間が待ち時間に到達すると、駆動電源制御部２２は、通常電力モードの待機状態から省電力モードへ移行させて、省電力制御処理を終了する（ステップＳ１０４）。
【００７６】
このようにすると、電力ピークシフト時間帯に、蓄電動作予測累積時間が閾値蓄電動作時間以上となって蓄電電源部３２の蓄電池の蓄電残量が低下してしまうおそれがある場合に、速やかに省電力モードへ移行することができる。その結果、電力ピークシフト時間帯における蓄電駆動電源電力の消費をより一層効率的に削減することができ、停電等の非常時においても、画像形成装置１をより長い時間継続して使用することができる。
【００７７】
さらに、本実施例の画像形成装置１は、図６に示すように、現在の時間が、電力ピークシフト時間帯であっても、上記省電力優先時間帯であるか否かに基づいて、省電力制御を行ってもよい。なお、図６において、図３と同様の処理ステップには、同一のステップナンバーを付与して、その説明を簡略化する。
【００７８】
この省電力優先時間帯は、上述のように、電力ピークシフト時間帯であって、かつ、通常電力モードから省電力モードへ切り替えるタイミングを優先的に即時切替タイミングとする時間帯である。この省電力優先時間帯は、駆動電源制御部２２の内部メモリに記憶されており、操作表示部の操作により、適宜設定登録される。
【００７９】
すなわち、画像制御部１０は、図６に示すように、画像形成装置１の動作要求があると（ステップＳ１０１）、要求された動作要求を処理する。電源制御部２２は、画像形成装置１の状態管理を行って、要求された動作の終了を把握する（ステップＳ１０２）。
【００８０】
駆動電源制御部２２は、要求された動作処理が終了すると、時刻管理部２３の計時する現在時刻が、電力ピークシフト時間帯であるかチェックする（ステップＳ１０３）。
【００８１】
ステップＳ１０３で、現在時刻が電力ピークシフト時間帯であると、駆動電源制御部２２は、現在時刻が上記省電力優先時間帯であるかチェックする（ステップＳ４０１）。
【００８２】
ステップＳ４０１で、現在時刻が省電力優先時間帯でないと（ステップＳ４１で、ＮＯのとき）、駆動電源制御部２２は、通常電力モードでの待機状態へ移行して、待ち時間が経過したかチェックする（ステップＳ１０５）。
【００８３】
ステップＳ１０５で、待機時間が待ち時間に到達していないときには、駆動電源制御部２２は、電力ピークシフト時間帯であるかのチェックから上記同様に処理する（ステップＳ１０３、Ｓ４１、S１０５）。
【００８４】
ステップＳ４０１で、現在時刻が省電力優先時間帯であると（ステップＳ４０１で、ＹＥＳのとき）、駆動電源制御部２２は、電力モードを、速やかに省電力モードへ移行させて、省電力制御処理を終了する（ステップＳ１０４）。
【００８５】
ステップＳ１０３で、現在時刻が電力ピークシフト時間帯でないとき、駆動電源制御部２２は、待機時間が、待ち時間に到達したかチェックする（ステップＳ１０５）。
【００８６】
ステップＳ１０５で、待機時間が待ち時間に到達していないとき、駆動電源制御部２２は、電力ピークシフト時間帯であるかのチェックから上記同様に処理する（ステップＳ１０３〜S１０５、Ｓ４０１）。
【００８７】
ステップＳ１０５で、待機時間が待ち時間に到達すると、駆動電源制御部２２は、通常電力モードの待機状態から省電力モードへ移行させて、省電力制御処理を終了する（ステップＳ１０４）。
【００８８】
このようにすると、現在時刻が、電力ピークシフト時間帯であって、かつ、省電力優先時間帯であると、速やかに省電力モードに移行させることができ、省電力モードへの移行タイミングをより一層必要なタイミングに行うことができる。その結果、電力ピークシフト時間帯における蓄電駆動電源電力の消費をより一層効率的に削減することができ、停電等の非常時においても、画像形成装置１をより長い時間継続して使用することができる。
【００８９】
このように、本実施例の画像形成装置１は、その電源制御部４０が、外部から供給される外部電源電力ＳＰから画像形成装置１内で利用する外部駆動電源電力を生成する外部電源部（外部電源手段）３１と、蓄電している蓄電電力から画像形成装置１内で利用する蓄電駆動電源電力を生成する蓄電電源部（蓄電電源手段）３２と、前記外部駆動電源電力と前記蓄電駆動電源電力のいずれかを前記画像形成装置１へ供給する駆動電源電力として選択する切替／充電部（選択手段）３３と、通常動作可能な前記駆動電源電力を前記画像形成装置１へ供給する通常電力状態と該通常電力状態よりも消費電力の少ない該駆動電源電力を該画像形成装置１へ供給する省電力状態とに電力状態を切り替える駆動電源制御部（電力状態切替手段）２２と、現在時刻を計時する時刻管理部２３の時計部（計時手段）と、現在時刻が前記外部電源電力の使用を抑制する電力ピークシフト時間帯であるか否かを判定する駆動電源制御部（判定手段）２２と、前記画像形成装置１の状態を判定する駆動電源制御部（状態判定手段）２２と、現在時刻が前記電力ピークシフト時間帯であると、前記選択手段としての駆動電源制御部２２に、前記駆動電源電力として前記蓄電駆動電源電力を選択させるとともに、該電力ピークシフト時間帯において、前記状態判定手段としての駆動電源制御部２２が、該動作状態の終了を判定すると、該電力状態切替手段としての駆動電源制御部２２に、前記電力状態を速やかに前記省電力状態に切り替えさせる駆動電源制御部（制御手段）２２と、を備えている。
【００９０】
したがって、電力ピークシフト時間帯において、駆動電源電力を蓄電駆動電源電力に切り替えて動作することができるとともに、動作が終了すると、速やかに省電力状態へ移行することができる。その結果、電力ピークシフト時間帯における蓄電駆動電源電力の消費を効率的に削減することができ、蓄電駆動電源電力を駆動電力とする駆動時間を長くすることができる。
【００９１】
また、本実施例の画像形成装置１は、その電源制御部４０が、外部から供給される外部電源電力ＳＰから画像形成装置１内で利用する外部駆動電源電力を生成する外部電源処理ステップと、蓄電している蓄電電力から画像形成装置１内で利用する蓄電駆動電源電力を生成する蓄電電源処理ステップと、前記外部駆動電源電力と前記蓄電駆動電源電力のいずれかを前記画像形成装置１へ供給する駆動電源電力として選択する選択処理ステップと、通常動作可能な前記駆動電源電力を前記画像形成装置１へ供給する通常電力状態と該通常電力状態よりも消費電力の少ない該駆動電源電力を該画像形成装置１へ供給する省電力状態とに電力状態を切り替える電力状態切替処理ステップと、現在時刻を計時する計時処理ステップと、現在時刻が前記外部電源電力の使用を抑制する電力ピークシフト時間帯であるか否かを判定する判定処理ステップと、前記画像形成装置１の状態を判定する状態判定処理ステップと、現在時刻が前記電力ピークシフト時間帯であると、前記選択処理ステップで、前記駆動電源電力として前記蓄電駆動電源電力を選択させるとともに、該電力ピークシフト時間帯において、前記状態判定処理ステップで、該動作状態の終了を判定されると、前記電力状態切替処理ステップで、前記電力状態を速やかに前記省電力状態に切り替えさせる制御処理ステップと、を有する電源制御方法を実行している。
【００９２】
したがって、電力ピークシフト時間帯において、駆動電源電力を蓄電駆動電源電力に切り替えて動作することができるとともに、動作が終了すると、速やかに省電力状態へ移行することができる。その結果、電力ピークシフト時間帯における蓄電駆動電源電力の消費を効率的に削減することができ、蓄電駆動電源電力を駆動電力とする駆動時間を長くすることができる。
【００９３】
さらに、本実施例の画像形成装置１は、ＣＰＵ等の制御プロセッサに、外部から供給される外部電源電力ＳＰから画像形成装置１内で利用する外部駆動電源電力を生成する外部電源処理と、蓄電している蓄電電力から画像形成装置１内で利用する蓄電駆動電源電力を生成する蓄電電源処理と、前記外部駆動電源電力と前記蓄電駆動電源電力のいずれかを前記画像形成装置１へ供給する駆動電源電力として選択する選択処理と、通常動作可能な前記駆動電源電力を前記装置へ供給する通常電力状態と該通常電力状態よりも消費電力の少ない該駆動電源電力を該画像形成装置１へ供給する省電力状態とに電力状態を切り替える電力状態切替処理と、現在時刻を計時する計時処理と、現在時刻が前記外部電源電力の使用を抑制する電力ピークシフト時間帯であるか否かを判定する判定処理と、前記画像形成装置１の状態を判定する状態判定処理と、現在時刻が前記電力ピークシフト時間帯であると、前記選択処理で、前記駆動電源電力として前記蓄電駆動電源電力を選択させるとともに、該電力ピークシフト時間帯において、前記状態判定処理で、該動作状態の終了を判定されると、前記電力状態切替処理で、前記電力状態を速やかに前記省電力状態に切り替えさせる制御処理と、を実行させる電源制御プログラムを搭載している。
【００９４】
したがって、電力ピークシフト時間帯において、駆動電源電力を蓄電駆動電源電力に切り替えて動作することができるとともに、動作が終了すると、速やかに省電力状態へ移行することができる。その結果、電力ピークシフト時間帯における蓄電駆動電源電力の消費を効率的に削減することができ、蓄電駆動電源電力を駆動電力とする駆動時間を長くすることができる。
【００９５】
また、本実施例の画像形成装置１は、その電源制御部４０が、前記蓄電電源部３２の蓄電する蓄電残量を検出する蓄電量検出部（蓄電残量検出手段）を、さらに備え、前記制御手段としての駆動電源制御部２２が、前記蓄電残量が所定の閾値蓄電残量以下であることを条件として、前記電力状態切替手段としての駆動電源制御部２２に、前記電力状態を前記省電力状態に切り替えさせる。
【００９６】
したがって、電力ピークシフト時間帯に、蓄電電源部３２の蓄電池の蓄電残量が閾値残量以下になったときに、動作処理が終了すると、速やかに省電力モードへ移行することができる。その結果、電力ピークシフト時間帯における蓄電駆動電源電力の消費をより一層効率的に削減することができ、停電等の非常時においても、画像形成装置１をより長い時間継続して使用することができる。
【００９７】
さらに、本実施例の画像形成装置１は、その電源制御部４０が、前記電力ピークシフト時間帯と現在時間に基づいて、該電力ピークシフト時間帯において前記蓄電駆動電源電力を前記駆動電源電力として動作する蓄電動作予想時間を累積した累積蓄電動作予想時間を算出する駆動電源制御部２２（蓄電動作時間算出手段）を、さらに備え、前記制御手段としての駆動電源制御部２２が、前記累積蓄電動作予想時間が所定の閾値蓄電動作時間以上であることを条件として、前記電力状態切替手段としての駆動電源制御部２２に、前記電力状態を前記省電力状態に切り替えさせる。
【００９８】
したがって、電力ピークシフト時間帯に、蓄電駆動電源電力での駆動時間が、閾値蓄電動作時間以上となって蓄電電源部３２の蓄電池の蓄電残量が低下してしまうおそれがある場合に、速やかに省電力モードへ移行することができる。その結果、電力ピークシフト時間帯における蓄電駆動電源電力の消費をより一層効率的に削減することができ、停電等の非常時においても、画像形成装置１をより長い時間継続して使用することができる。
【００９９】
また、本実施例の画像形成装置１は、その電源制御部４０が、前記電力状態を前記省電力状態に優先的に切り替える省電力優先時間帯を記憶する時刻管理部２３のメモリ（時間記憶手段）を、さらに備え、前記制御手段としての駆動電源制御部２２が、現在時間が前記省電力優先時間帯であることを条件として、前記電力状態切替手段としての駆動電源制御部２２に、前記電力状態を前記省電力状態に切り替えさせる。
【０１００】
したがって、現在時刻が、電力ピークシフト時間帯であって、かつ、省電力優先時間帯であると、速やかに省電力モードに移行させることができ、省電力モードへの移行タイミングをより一層必要なタイミングに行うことができる。その結果、電力ピークシフト時間帯における蓄電駆動電源電力の消費をより一層効率的に削減することができ、停電等の非常時においても、画像形成装置１をより長い時間継続して使用することができる。
【０１０１】
さらに、本実施例の画像形成装置１は、前記閾値蓄電残量、前記閾値蓄電動作時間、前記省電力優先時間帯のうち、少なくともいずれかを設定する操作表示部（設定手段）を備えている。
【０１０２】
したがって、画像形成装置１の利用状況等に応じて、適宜、閾値蓄電残量、閾値蓄電動作時間、省電力優先時間帯を設定することができ、利用性を向上させつつ、電力ピークシフト時間帯における蓄電駆動電源電力の消費をより一層効率的に削減することができる。
【０１０３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１０４】
１  画像形成装置
１０  画像制御部
１１  データ入出力部
１２  画像描画部
１３  メモリ制御部
１４  データ出力部
２０  画像印刷部
２１  プロッタ部
２２  駆動電源制御部
２３  時刻管理部
３０  電源供給部
３１  外部電源部
３２  蓄電電源部
３３  切替／充電部
４０  電源制御部
ＨＳ  ホスト装置
ＳＰ  外部電源電力
【先行技術文献】
【特許文献】
【０１０５】
【特許文献１】特開平１０−１５０５１１号公報
【図１】
2015134489.tif 000003
【図２】
2015134489.tif 000004
【図３】
2015134489.tif 000005
【図４】
2015134489.tif 000006
【図５】
2015134489.tif 000007
【図６】
2015134489.tif 000008